(57)【要約】【課題】尿石を溶解する尿石溶解性が高く、かつ鉄製の配管に対する防錆性も良好である尿石除去剤を提供する。【解決手段】本発明は、有機酸、リン酸鉄及びリン酸を含むこと尿石除去剤に関する。前記有機酸は、蟻酸、スルファミル酸、アミンスルホン酸及び酢酸からなる群から選ばれる一つ以上であることが好ましい。前記尿石除去剤は、有機酸を５質量％以上２５質量％以下含むことが好ましい。前記尿石除去剤は、リン酸鉄を０．０１質量％以上１質量％以下含むことが好ましい。前記尿石除去剤は、リン酸を０．０５質量％以上１０質量％以下含むことが好ましい。【選択図】なし【特許請求の範囲】
【請求項１】
有機酸、リン酸鉄及びリン酸を含むことを特徴とする尿石除去剤。
【請求項２】
前記有機酸は、蟻酸、スルファミル酸、アミンスルホン酸及び酢酸からなる群から選ばれる一つ以上である請求項１に記載の尿石除去剤。
【請求項３】
前記尿石除去剤は、有機酸を５質量％以上２５質量％以下含む請求項１又は２に記載の尿石除去剤。
【請求項４】
前記尿石除去剤は、リン酸鉄を０．０１質量％以上１質量％以下含む請求項１〜３のいずれか１項に記載の尿石除去剤。
【請求項５】
前記尿石除去剤は、リン酸を０．０５質量％以上１０質量％以下含む請求項１〜４のいずれか１項に記載の尿石除去剤。
【発明の詳細な説明】
【技術分野】
【０００１】
本発明は、水洗トイレの尿石を溶解して除去することができる尿石除去剤に関する。
【背景技術】
【０００２】
水洗トイレにおいて、貯留槽などからの臭気の逆流を防ぐために、配管や便器に水がたまるように設計されている。この水に含まれるカルシウムイオンやマグネシウムイオンは空気中の二酸化炭素と結びついて難溶性の炭酸カルシウムや炭酸マグネシウムとなる。この炭酸カルシウムや炭酸マグネシウムは、便器や配管の溜まり部分に徐々に付着堆積する。さらに、空気中の埃などと一緒に浮遊している雑菌はこの炭酸カルシウムなどの堆積物中を棲家として、人の尿や便の栄養素を取り込み増殖する。雑菌はさらにカルシウムイオンなどを使って強固な多孔性のセメント様の尿石を形成する。尿石が付着拡大すると、悪臭の発生源となると共に、汚水の流れを妨げトイレトラブルの原因となる。
【０００３】
このような尿石を溶解除去するために、昔から酸（特に塩酸）が用いられてきたが、腐食性が高いという問題があった。そこで、特許文献１には、尿石等の汚れを除去する能力が高く、腐食性が小さい衛生器具洗浄剤として、酸、リン酸塩、アニオン性界面活性剤を含む衛生器具洗浄剤が提案されている。特許文献２には、消臭効果が良好であり、尿石等の汚れを除去する能力が高く、腐食性が小さい消臭剤として、金属鉄塩に少量の活性剤（還元剤）を加えて活性鉄イオンを発生させるとともに、スルファミン酸及びトリポリリン酸ナトリウムを配合した消臭剤が提案されている。
【先行技術文献】
【特許文献】
【０００４】
【特許文献１】中国特許出願公開公報１０３２３５８号
【特許文献２】中国特許出願公開公報１０６８５０３号
【発明の概要】
【発明が解決しようとする課題】
【０００５】
しかし、特許文献１及び引用文献２では、尿石を溶解する尿石溶解性及び鉄製の配管に対する防錆性について具体的に検討されておらず、尿石溶解性及び防錆性について改善が求められていた。
【０００６】
本発明は、上記の問題を解決するため、尿石を溶解する尿石溶解性が高く、かつ鉄製の配管に対する防錆性も良好である尿石除去剤を提供する。
【課題を解決するための手段】
【０００７】
本発明は、有機酸、リン酸鉄及びリン酸を含むことを特徴とする尿石除去剤に関する。
【０００８】
前記有機酸は、蟻酸、スルファミル酸、アミンスルホン酸及び酢酸からなる群から選ばれる一つ以上であることが好ましい。
【０００９】
前記尿石除去剤は、有機酸を５質量％以上２５質量％以下含むことが好ましい。前記尿石除去剤は、リン酸鉄を０．０１質量％以上１質量％以下含むことが好ましい。前記尿石除去剤は、リン酸を０．０５質量％以上１０質量％以下含むことが好ましい。
【発明の効果】
【００１０】
本発明は、有機酸、リン酸鉄及びリン酸を組み合わせて用いることにより、尿石を溶解する尿石溶解性が高く、かつ鉄製の配管に対する防錆性も良好である尿石除去剤を提供することができる。
【発明を実施するための形態】
【００１１】
発明者は、尿石除去剤の尿石を溶解する尿石溶解性と鉄製の配管に対する防錆性を向上させることについて鋭意検討した。その結果、有機酸、リン酸鉄及びリン酸を組み合わせて用いることにより、尿石を溶解する尿石溶解性が高くなるとともに、鉄製の配管に対する防錆性も改善させることを見出した。有機酸を用いることにより尿石を溶解除去できる。また、リン酸鉄及びリン酸を併用することで、鉄製配管の表面に水に不溶のリン酸鉄の強固な膜が形成されて不動態となり、該不動態体によって鉄の酸化が妨げられ錆の発生・腐食が防止される。また、有機酸は微生物によって容易に酸化され、炭酸ガスと水に分解される。これによって、前記尿石除去剤は環境安全性を高めた製品でもある。
【００１２】
前記有機酸は、特に限定されないが、尿石を除去する効果をより高める観点から、比較的強酸タイプの有機酸であることが好ましい。このような強酸タイプの有機酸としては、特に限定されないが、例えば、蟻酸、スルファミン酸（sulfamic acid）、アミンスルホン酸及び酢酸などが挙げられる。前記有機酸は、一つを単独で用いても良く、二つ以上を組み合わせて用いても良い。
【００１３】
前記尿石除去剤は、特に限定されないが、尿石を除去する効果をより高めつつ、鉄製の配管に対する防錆性を高める観点から、有機酸を５質量％以上２５質量％以下含むことが好ましく、７質量％以上２０質量％以下含むことがより好ましく、８質量％以上１５質量％以下含むことがさらに好ましい。
【００１４】
前記リン酸鉄は、リン酸鉄（II）（リン酸第一鉄ともいう。）及びリン酸鉄（III）（リン酸第二鉄ともいう。）のいずれであってもよく、これらを併用してもよい。鉄製の配管に対する防錆性を高める観点から、及び溶液中での安定性の観点から、リン酸鉄（II）を含むことが好ましい。リン酸鉄におけるリン酸鉄（II）の含有量は、２０質量％以上、６０質量％以下であることが好ましい。
【００１５】
前記尿石除去剤は、特に限定されないが、鉄製の配管に対する防錆性を高める観点から、リン酸鉄を０．０１質量％以上１質量％以下含むことが好ましく、０．１質量％以上０．９質量％以下含むことがより好ましく、０．２質量％以上０．８質量％以下含むことがさらに好ましい。
【００１６】
前記尿石除去剤は、特に限定されないが、鉄製の配管に対する防錆性を高めつつ、尿石を除去する効果を向上させる観点から、リン酸を０．０５質量％以上１０質量％以下含むことが好ましく、０．１質量％以上８質量％以下含むことがより好ましく、０．１５質量％以上５質量％以下含むことがさらに好ましく、０．２質量％以上２質量％以下含むことがさらにより好ましい。
【００１７】
前記尿石除去剤において、特に限定されないが、鉄製の配管に対する防錆性を高める観点から、リン酸鉄１００質量部に対してリン酸は１０質量部以上５００質量部以下であることが好ましく、２０質量部以上１００質量部以下であることがより好ましく、３０質量部以上８０質量部以下であることがさらに好ましい。
【００１８】
前記尿石除去剤は、本発明の効果を阻害しない範囲内において、必要に応じて、リン酸鉄以外の他のリン酸塩を含んでもよい。前記他のリン酸塩としては、特に限定されず、例えば、オルトリン酸塩（ナトリウム塩、カリウム塩、鉄塩など）、縮合リン酸塩（ナトリウム塩、カリウム塩など）、リン酸エステル等が挙げられる。例えば、前記尿石除去剤は、他のリン酸塩を５質量％以下含んでも良い。
【００１９】
前記尿石除去剤は、本発明の効果を阻害しない範囲内において、必要に応じて、界面活性剤を含んでもよい。前記界面活性剤としては、イオン性界面活性剤であってもよく、非イオン性界面活性剤であってもよい。イオン性界面活性剤は、アニオン性界面活性剤、カチオン性界面活性剤、両性界面活性剤を含む。例えば、前記尿石除去剤は、界面活性剤を５質量％以下含んでも良い。
【００２０】
前記尿石除去剤は、水、有機酸、リン酸鉄及びリン酸を含み、尿石を溶解する尿石溶解性が高く、かつ鉄製の配管に対する防錆性も良好であることから、配管が鉄製の水洗トイレの尿石除去剤などの洗浄剤として好適に用いることができる。
【実施例】
【００２１】
以下、実施例を用いて本発明をさらに具体的に説明する。なお、本発明は下記の実施例に限定されるものではない。
【００２２】
（実施例１）
蟻酸、リン酸、リン酸鉄(II)及び水を、下記表１に示す配合割合で混合して尿石除去剤を作製した。
【００２３】
（実施例２）
さらにピロリン酸ナトリウムを添加した以外は、実施例１と同様にして、下記表１に示す配合割合を有する尿石除去剤を作製した。
【００２４】
（比較例１）
塩酸、ピロリン酸ナトリウム及び水を、下記表１に示す配合割合で混合して尿石除去剤を作製した。
【００２５】
（比較例２）
リン酸、トリポリリン酸ナトリウム及び水を、下記表１に示す配合割合で混合して尿石除去剤を作製した。
【００２６】
（比較例３）
蟻酸、リン酸、トリポリリン酸ナトリウム及び水を、下記表１に示す配合割合で混合して尿石除去剤を作製した。
【００２７】
（比較例４）
蟻酸、リン酸、ピロリン酸ナトリウム及び水を、下記表１に示す配合割合で混合して尿石除去剤を作製した。
【００２８】
（比較例５）
リン酸、リン酸鉄（II）及び水を、下記表１に示す配合割合で混合して尿石除去剤を作製した。
【００２９】
（比較例６）
蟻酸、リン酸鉄（II）、トリポリリン酸ナトリウム及び水を、下記表１に示す配合割合で混合して尿石除去剤を作製した。
【００３０】
実施例１〜２、比較例１〜６の尿石除去剤の尿石溶解性及び防錆性を下記のように評価し、その結果を下記表１に示した。
【００３１】
（尿石溶解性）
尿石溶解性は、尿石の代わりに、アサリの貝殻を用いて溶解性を確認した。
５：貝殻が完全に溶解した
４：貝殻のほとんどが溶解した
３：貝殻が半分以上溶解した
２：貝殻の１／３程度が溶解した
１：ほとんど溶解しなかった
０：全く溶解しなかった
【００３２】
（防錆性）
尿石除去剤に鉄釘を１２時間浸漬した後、十分に水洗して、室内で空気に触れる状態で２日間載置した後の腐食の状況を観察した。
５：錆は全く発生しなかった
４：錆はほとんど発生しなかった
３：錆がほんの少し発生した
２：錆が少し発生した
１：錆が半分程度発生した
０：錆が全体に発生した
【００３３】
【表１】
2019038962.tif 000002
【００３４】
上記表１の結果から分かるように、有機酸、リン酸鉄及びリン酸を含む実施例１及び２の尿石除去剤は、尿石溶解性が良好であるとともに、防錆性も高かった。一方、有機酸、リン酸鉄及びリン酸のいずれも含まず、塩酸及びピロリン酸ナトリウムを含んだ比較例１の尿石除去剤は、尿石溶解性は良好であるものの、防錆性は極めて悪かった。リン酸及びトリポリリン酸ナトリウムを含む比較例２の尿石除去剤は、尿石溶解性及び防錆性は良好であるものの、黒色粉体が発生しており、繰り返し除去剤を使用したときに配管の溜まり部へ沈殿する可能性があり、安全性に劣る。リン酸鉄を含まず、有機酸、リン酸及びトリポリリン酸ナトリウム又はピロリン酸ナトリウムを含む比較例３及び比較例４の尿石除去剤は、尿石溶解性は良好であるものの、防錆性は劣っていた。有機酸を含まず、リン酸、リン酸鉄(II)及びトリポリリン酸ナトリウムを含む比較例５の尿石除去剤は、尿石溶解性及び防錆性のいずれも劣っていた。有機酸、リン酸鉄（II）及びトリポリリン酸ナトリウムを含む比較例６の尿石除去剤は、尿石溶解性は良好であるものの、防錆性は劣っていた。